(57)【要約】【課題】回動ルーバーの可動フィンを閉じたときに生じやすい、円筒フレームの外周部からの風の漏れを防止することができるレジスタを提供する。【解決手段】ボールジョイント８の軸部８２は、リテーナ１内の中心部に設けた支持部１１に、軸方向に摺動可能に支持され、軸部８２を上流側に付勢するコイルばね８４が設けられる。円筒フレーム２０の外周面は、リテーナ１またはリテーナ１の前部に嵌着されたベゼル９の内周面に対し、僅かな隙間を介して略非接触で配設される。回動ルーバー２の可動フィン２３が流路１５を閉鎖したとき、ボールジョイント８の軸部８２が支持部１１に対し円筒フレーム２０とともに下流側に摺動し、円筒フレーム２０の外周部がリテーナ１またはベゼル９の内周面に接近または接触して外周部の隙間が閉じられる。【選択図】図１２
2016168929.tif 000002
【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該ボールジョイントの軸部は、該リテーナ内の中心部に設けた支持部に、軸方向に摺動可能に支持され、該軸部を上流側に付勢する付勢ばねが設けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、該操作部の操作により該可動フィンが流路を開閉可能とされ、
該円筒フレームの外周面は、該リテーナまたは該リテーナの前部に嵌着されたベゼルの内周面に対し、僅かな隙間を介して略非接触で配設され、
該回動ルーバーの該可動フィンが該流路を閉鎖したとき、該ボールジョイントの軸部が該支持部に対し該円筒フレームとともに下流側に摺動し、該円筒フレームの外周部が該リテーナまたは該ベゼルの内周面に接近または接触して外周部の隙間が閉じられることを特徴とするレジスタ。
【請求項２】
前記ボールジョイントの軸部に、段差を付けた段差部が設けられ、前記付勢ばねにより該軸部が上流側に付勢された状態で、該段差部は前記支持部の端部に当接することを特徴とする請求項１記載のレジスタ。
【請求項３】
前記ボールジョイントの軸部は、前記支持部に設けた支持孔の上流側に貫通して支持され、該支持孔から上流側に突出した該軸部の先端部に、前記付勢ばねとしてコイルばねが外嵌され、該コイルばねを保持するように取付ねじが、該軸部の先端部にねじ込まれたことを特徴とする請求項１記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型レジスタとして、円筒フレーム内に送風方向に沿った中心軸の回りで回動可能な丸型の回動ルーバーを備えたレジスタが、下記特許文献１などにより知られている。
【０００３】
このレジスタは、内側に球面を有する円筒形の外枠を有し、その外枠の内側に、外側球面を有する内枠を、回動及び傾動可能に嵌め込み、内枠内には４枚の可動羽根を中心軸の周囲に放射状に配置した回動ルーバーが配設され、回動ルーバーの各可動羽根は、内枠のラジアル方向の支軸の回りで回動可能に軸支されて構成される。
【０００４】
さらに、このレジスタは、中心軸の末端及び各可動羽根の支軸の内側端にベベルギヤが設けられ、中心軸の末端に設けたベベルギヤと各可動羽根のベベルギヤが噛合し、中心軸の先端に設けた摘みを回すと、ベベルギヤを介して各可動羽根がその支軸を軸に回動する構造となっている。
【０００５】
レジスタの使用時、中心軸先端の摘みを回すと、ベベルギヤを介して４枚の可動羽根がラジアル方向の支軸を中心に回動し、４枚の可動羽根が送風方向と平行な場合、レジスタの空気吹出口から送風される風が、可動羽根によって、中央に収束されるが、４枚の可動羽根が各支軸を軸に傾動すると、送風される空気流は空気吹出口の周囲に拡散するように流れる。さらに、各可動羽根を流路の横断面と平行な状態まで回動させた場合、４枚の可動羽根がレジスタの流路を遮断し送風を止めるようになっている。
【０００６】
また、風向を任意の方向に変える場合、内側に４枚の可動羽根を有した外側球面状の内枠を、中央の摘みを持って円筒状の外枠内で任意の方向に傾動させると、円筒状の内枠が傾動し、任意の方向に送風方向を変える。
【先行技術文献】
【特許文献】
【０００７】
【特許文献１】実公平３−２７２３７号公報
【発明の概要】
【発明が解決しようとする課題】
【０００８】
しかし、上記丸型のレジスタは、外枠内に内枠が全方向に傾動可能に配設されて、内枠を任意の方向に円滑に傾動させるため、内枠の外周面と外枠の内周面との間に僅かであるが隙間を生じさせている。
【０００９】
このため、可動羽根を流路の横断方向と平行な状態まで回動させて流路を閉鎖して送風を停止させたとき、空気流が内枠の外周面と外枠の内周面との間の隙間を通過し、風の漏れが生じ易いという課題があった。
【００１０】
本発明は、上記の点に鑑みなされたもので、回動ルーバーの可動フィンを閉じたときに生じやすい、円筒フレームの外周部からの風の漏れを防止することができるレジスタを提供することを目的とする。
【課題を解決するための手段】
【００１１】
上記目的を達成するために、本発明のレジスタは、円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支されてなるレジスタにおいて、
該リテーナ内の送風方向と平行な中心線上に、ボールを有するボールジョイントが配設され、該回動ルーバーには、該円筒フレームの中央に、複数の軸支部を放射状に設けた中央軸支部が配設され、該中央軸支部は、中央に設けたボール穴を該ボールに嵌合させて、傾動及び回動可能に取り付けられ、
該ボールジョイントの軸部は、該リテーナ内の中心部に設けた支持部に、軸方向に摺動可能に支持され、該軸部を上流側に付勢する付勢ばねが設けられ、
該円筒フレームの内側に複数の可動フィンが、略等間隔をおいてラジアル方向の支軸により回動可能に軸支されるとともに、該各可動フィンの内側部分が該中央軸支部の各軸支部に軸支され、
該中央軸支部の前面側中央には操作部が該回動ルーバーの中心線の回りで回動可能に装着され、該操作部はベベルギヤ機構を介して該各可動フィンの内側部分と連係され、該操作部の操作により該可動フィンが流路を開閉可能とされ、
該円筒フレームの外周面は、該リテーナまたは該リテーナの前部に嵌着されたベゼルの内周面に対し、僅かな隙間を介して略非接触で配設され、
該回動ルーバーの該可動フィンが該流路を閉鎖したとき、該ボールジョイントの軸部が該支持部に対し該円筒フレームとともに下流側に摺動し、該円筒フレームの外周部が該リテーナまたは該ベゼルの内周面に接近または接触して外周部の隙間が閉じられることを特徴とする。なお、レジスタの前部、後部、下流側、上流側は、その前部が下流側、後部が上流側である。
【００１２】
この発明のレジスタによれば、回動ルーバーの中央の操作部を回すと、複数の可動フィンがその支軸の回りで回動して流路が開閉されるが、可動フィンがリテーナ内の流路の横断面と平行まで回動操作されると、レジスタ内の流路が閉じられる。このとき、流路内の空気圧が上昇し、回動ルーバーの可動フィンが下流側に押され、回動ルーバーを含む円筒フレームが下流側に移動する。このとき、円筒フレームの外周部がリテーナまたはベゼルの内周面に接近または接触して外周部の隙間が閉じられるので、可動フィンの閉鎖時の、円筒フレームの外周部からの風漏れは防止される。
【００１３】
従来、円筒フレームの外周部の隙間に、シート状の不織布を介挿して、風漏れを防止する例があるが、傾動操作時の不織布の摩擦抵抗を考慮するため、不織布の周囲にある程度の隙間が生じやすいところ、本発明に係る付勢ばねを用いた隙間防止構造によれば、不織布を用いた場合より、風漏れの流量、風速ともに抑制することができる。
【００１４】
ここで、上記ボールジョイントの軸部には、段差を付けた段差部が設けられ、上記付勢ばねにより該軸部が上流側に付勢された状態で、該段差部は上記支持部の端部に当接するように構成される。これによれば、摺動可能に取り付けられたボールジョイントのガタツキを防止することができる。
【００１５】
またここで、上記ボールジョイントの軸部は、上記支持部に設けた支持孔の上流側に貫通して支持され、該支持孔から上流側に突出した軸部の先端部に、上記付勢ばねとしてコイルばねが外嵌され、該コイルばねを保持するように取付ねじが、該軸部の先端部にねじ込まれた構成とすることができる。
【００１６】
これによれば、比較的簡単な構造により、可動フィンの閉鎖時、円筒フレームを下流側に移動させて隙間を閉じ、円筒フレームの外周部からの風漏れを防止することができる。
【発明の効果】
【００１７】
本発明のレジスタによれば、回動ルーバーの可動フィンを閉じたとき、円筒フレームが下流側に摺動し、リテーナまたはベゼルの内周面に円筒フレームの外周面が接近または接触して外周部の隙間が閉じられるので、閉鎖時の円筒フレームの外周部からの風漏れを防止することができる。
【図面の簡単な説明】
【００１８】
【図１】本発明の一実施形態を示すレジスタの正面図である。
【図２】同レジスタの平面図である。
【図３】同レジスタの左側面図である。
【図４】同レジスタの背面図である。
【図５】同レジスタの斜視図である。
【図６】同レジスタの背面側から見た斜視図である。
【図７】レジスタの分解斜視図である。
【図８】回動ルーバーを含む円筒フレームの分解斜視図である。
【図９】支持部及びボールジョイントの部分断面図である。
【図１０】回動ルーバーの可動フィンを閉鎖した状態の斜視図である。
【図１１】図１のXI-XI断面図である。
【図１２】回動ルーバーの可動フィンを閉鎖した状態のXI-XI断面図である。
【発明を実施するための形態】
【００１９】
以下、本発明の一実施形態を図面に基づいて説明する。図１〜図１２は自動車の車室内に取り付けられ使用される空調装置用の丸型レジスタを示している。図示のレジスタは、概略的には、円筒型のリテーナ１内に、円筒フレーム２０を有した回動ルーバー２が回動可能に配設され、回動ルーバー２には送風方向と平行な中心線Ｓ１（図１１）から放射状に、５枚の可動フィン２３が、円筒フレーム２０の内側で、放射状に配置した５本の軸支線を軸に回動可能に軸支される。
【００２０】
円筒フレーム２０の中央には操作部（ダイヤルノブ）６が配置され、操作部６を上下左右に動かして、回動ルーバー２を傾動させ、さらに操作部６をその軸の回りで回動操作して可動フィン２３を回動させ、リテーナ１内の流路１５を開閉するように構成される。
【００２１】
レジスタの外殻を形成するリテーナ１内の後部には、図４、６に示すように、支持枠１２が放射状に設けられ、支持枠１２の中央部にボールジョイント８の支持部１１が設けられる。そして、支持部１１の軸方向に穿設された支持孔１１ａに、ボールジョイント８の軸部８２が、所定ストロークの範囲で軸方向に摺動可能に嵌め込まれている。
【００２２】
ボールジョイント８は、図９に示すように、先端にボール８１を有し、ボール８１から後方に延設された軸部８２に、段差を付けた段差部８３が形成され、段差部８３から末端側の軸部８２が、支持枠１２中央の支持部１１の支持孔１１ａ内に、摺動可能に挿入される。
【００２３】
ボールジョイント８の軸部８２は、図９に示す如く、前方（下流側）から支持孔１１ａに挿入される。このとき、支持部１１の前端部に軸部８２の段差部８３が当接し、軸部８２の末端部が支持孔１１ａの後方に所定長さだけ突出する。この軸部８２の突出部に付勢ばねとしてのコイルばね８４が外嵌され、その状態で、軸部８２の後端部に取付ねじ８５がねじ込まれ、取付ねじ８５の頭部と支持部１１の後端部との間に、コイルばね８４が僅かに圧縮された状態で装着される。
【００２４】
コイルばね８４には比較的弱いばね力のばねが使用され、送風時、回動ルーバー２の可動フィン２３が閉鎖され、可動フィン２３が前方に押される、空気圧を受けたとき、図１２に示すように、可動フィン２３と円筒フレーム２０を含む部材が、コイルばね８４のばね力に抗して前方に、ストロークＳだけ移動するようになっている。このとき、コイルばね８４は圧縮され、円筒フレーム２０の外周面２０ａが、ベゼル９の内周面９ｃに当接し、円筒フレーム２０の外周部におけるリテーナ１またはベゼル９との隙間が完全に閉じられる構造である。
【００２５】
つまり、ボールジョイント８は、通常時、コイルばね８４の比較的弱い付勢力により、上流側に押され、段差部８３が支持部１１の前端部に当接した状態であり、回動ルーバー２の可動フィン２３が流路１５を閉鎖したとき、送風の空気圧により、ボールジョイント８が、回動ルーバー２の円筒フレーム２０、可動フィン２３、及び中央軸支部３とともに、コイルばね８４のばね力に抗して前方（下流側）に、移動端まで移動する構造である。なお、付勢ばねとしてのコイルばね８４には、他のばね手段を使用することもできる。
【００２６】
ボールジョイント８は、図８、１１に示すように、円筒フレーム２０と５枚の可動フィン２３を有した回動ルーバー２を、その中央軸支部３を介して、レジスタの中心線Ｓ１上で支持し、中心線Ｓ１を中心に上下左右等に傾動可能に支持する構造となっている。図７，８，１１に示すように、ボールジョイント８のボール８１に外周部に、中央軸支部３の球状凹部が傾動、回動可能に嵌合される。中央軸支部３の外周部には５個の軸穴４２が等間隔で形成され、それらの軸穴４２には、回動ルーバー２の５枚の可動フィン２３の内側に位置する支軸２７が回動可能に嵌入されて軸支される。
【００２７】
一方、リテーナ１の前部外周部には、図７のように、複数の係止部１３により円筒状のベゼル９が嵌着される。このとき、ベゼル９は、内側に回動ルーバー２を回動及び傾動可能に配設した状態で、係止部１３をベゼル９の係止爪９ａに係止させて、リテーナ１の前部に嵌着される。
【００２８】
リテーナ１内に配設される回動ルーバー２は、図８に示すように、円筒フレーム２０内に５枚の可動フィン２３を放射状に配設し、円筒フレーム２０の前円筒フレーム２１の中央に操作部（ダイヤルノブ）６を回動可能に軸支し、操作部６の回動操作に応じて、５枚の可動フィン２３を、放射状の軸支線の回りで、外側の支軸２４と内側の支軸２７を中心に、回動させる構造である。回動ルーバー２の円筒フレーム２０は、図７、８に示す如く、前円筒フレーム２１と後円筒フレーム２２とからなり、可動フィン２３を内部に組み付けた状態で、前円筒フレーム２１の後部に後円筒フレーム２２を嵌め込み、係止爪２２ａを被係止部１０に係止させて嵌着される。また、後円筒フレーム２２の後縁部には図７、８に示すように、円周にそって小凹凸部２２ｃが、風切り音を防止するために設けられる。小凹凸部２２ｃは、流路１５内の通風軸方向に向けて凹凸状に形成され、通風軸と直角方向から見て略三角形状の小凹凸が背面に向けて鋸歯状に形成されている。
【００２９】
上記のように、円筒フレーム２０は、前円筒フレーム２１の上流側に後円筒フレーム２２を嵌着して形成され、後円筒フレーム２２の縁部に小凹凸部２２ｃが設けられるが、後円筒フレーム２２の嵌着部位には、係止部として、３個の係止爪２２ａが１２０度の角度間隔で設けられる。一方、前円筒フレーム２１の後縁部には、係止爪２２ａとの対応部分に、係止爪２２ａと係止可能な３本の被係止部１０が背面に向けて突設される。
【００３０】
さらに、図８に示すように、後円筒フレーム２２の外周後部には、円筒フレーム２０の傾動範囲を規制するために、ストッパ２２ｂが突設される。ストッパ２２ｂは、後円筒フレーム２２の外周部に突設された円柱部にゴム状リングを嵌めて構成され、回動ルーバー２の傾動時のガイド機能を兼備する。このために、回動ルーバー２をリテーナ１内に装着したとき、ストッパ２２ｂは、リテーナの内側に設けたガイド溝１ａ（図１１，１２）内に挿入され、回動ルーバー２の円筒フレーム２０が傾動するとき、ストッパ２２ｂはガイド溝１ａ内を移動し、傾動限度まで傾動したとき、ストッパ２２ｂがガイド溝１ａの奥部またはベゼル９の内側凸部に当たり、傾動が制限される。
【００３１】
回動ルーバー２の中央に位置する中央軸支部３には、図８に示すように、その外周部に５本の軸支線の軸穴４２が等間隔（約７２°の角度間隔）で設けられる。５枚の可動フィン２３の内側の支軸２７が、それらの各軸穴４２に回動可能に嵌入され、可動フィン２３は回動ルーバー２の円筒フレーム２０の内側に等間隔に配置され、軸支される。
【００３２】
回動ルーバー２の可動フィン２３は、開放操作時、図１１のように、流路１５と平行状態となって流路を開放し、閉鎖操作時には、図１２に示すように、閉鎖方向の回動端である、リテーナ１内の流路１５の横断方向と平行状態まで回動し、５枚の可動フィン２３が円筒フレーム２０内の流路１５を全閉状態とするようになっている。
【００３３】
回動ルーバー２を回動及び傾動可能に支持するボールジョイント８は、図１１，１２に示す如く、リテーナ１内の送風方向と平行な中心線Ｓ１上で、支持部１１にその軸部８２が保持され、リテーナ１内の中央に取り付けられる。ボールジョイント８は、軸部８２の前側先端にボール８１が設けられ、そのボール８１に、回動ルーバー２の中央に位置する中央軸支部３が、その中央のボール穴を嵌合させて、傾動及び回動可能に取り付けられる。
【００３４】
中央軸支部３は、例えば熱可塑性エラストマーなどの高分子弾性体から一体成形され、或いは、合成樹脂製の内側に高分子弾性体を嵌入して形成される。中央軸支部３の中央のボール穴には、ボールジョイント８のボール８１が嵌合され、中央軸支部３の外周部に放射状に設けた５個の軸穴４２には、５枚の可動フィン２３の内側の支軸２７が各々回動可能に枢着される。
【００３５】
回動ルーバー２の５枚の可動フィン２３は、図８，１１に示す如く、円筒フレーム２０内に等間隔（約７２°の角度間隔）で配置され、各可動フィン２３の外側の支軸２４は、各々、円筒フレーム２０の前円筒フレーム２１と後円筒フレーム２２との間に挟むように軸支される。内側の各支軸２７は上記中央軸支部３の外周部に等間隔（約７２°の角度間隔）で配置された各軸支線の軸穴４２に、嵌入され、各可動フィン２３は、放射状の軸支線の回りで回動可能に軸支される。
【００３６】
前円筒フレーム２１内には、図８，１１のように格子部２１ａが設けられ、格子部２１ａ内は流路１５となる。格子部２１ａの中央に、円筒状の操作部保持部２１ｂ設けられ、操作部保持部２１ｂ内に、操作部６が前方から回動可能に挿入される。前円筒フレーム２１の後部（上流側）に後円筒フレーム２２が嵌着されるが、そのために前円筒フレーム２１の後縁部には、複数の被係止部１０が後方に突設され、被係止部１０には後円筒フレーム２２の係止爪２２ａが係止される。
【００３７】
一方、各可動フィン２３の内側の支軸２７は、中央軸支部３の軸支線上の軸穴４２に適度な摩擦抵抗をもって軸支され、中央軸支部３の前部に軸部５２を介して支持され操作部６の操作により回動するベベルギヤ部材５１は、中央軸支部３の中央軸３１の軸穴との間に適度な摩擦抵抗が生じ、これにより、調整可能な適正操作荷重を操作部６に付与するようになっている。中央軸支部３の前部の中央軸３１には、軸穴が設けられ、ベベルギヤ部材５１の内側軸部がこの軸穴に回動可能に嵌入され、ベベルギヤ部材５１の前部の軸部５２の軸孔には操作部６の軸部６１が嵌入される。
【００３８】
このため、使用者が操作部６を回して回動ルーバー２を開閉操作したとき、適度な操作荷重を生じさせつつ、ベベルギヤ部材５１を回動させ、可動フィン２３を支軸２４、２７による軸支線の回りで回動させることができる。さらに、操作部６を持って回動ルーバー２を上下左右に傾動操作した場合、適度な操作荷重を生じつつ、回動ルーバー２は、中央軸支部３のボール８１の軸を中心に、上下左右に傾動する。
【００３９】
操作部６は、図８，１１に示す如く、ダイヤルノブ状に形成され、回動ルーバー２の円筒フレーム２０の前部の格子部２１ａの中央に、回動操作可能に装着される。格子部２１ａの中央には、操作部保持部２１ｂが円形凹部として形成され、その操作部保持部２１ｂの中央に、挿入孔が設けられる。その挿入孔に、前部から操作部６の軸部６１が挿入され、後部からはベベルギヤ部材５１の軸部５２が操作部６の軸部６１内に挿通され、その軸部５２に設けた係止爪が軸部６１の係止部に係止されて、操作部６とベベルギヤ部材５１が回動操作可能に連結され、円筒フレーム２０の中央に取り付けられる。
【００４０】
上記のように、操作部６は、操作部保持部２１ｂ内に挿入され、且つその軸部６１が挿入孔２１ｃに挿入され、操作部６はがたつきなく回動可能に取り付けられる構造となっている。これにより、操作部６の回動操作時、ベベルギヤ機構５のベベルギヤ部材５１が中央軸支部３に対し回動し、中央軸支部３の外周部に放射状に配置された各可動フィン２３はそのベベルギヤ片２５とベベルギヤ部材５１が噛合し、その支軸２４，２７を軸に回動する。
【００４１】
ベベルギヤ機構５のベベルギヤ部材５１は、中央軸支部３の中央軸３１を軸にして回動可能であり、図８，１１に示すように、各可動フィン２３の内側端部に設けたベベルギヤ片２５がベベルギヤ部材５１と噛合している。これにより、操作部６を回動操作すると、ベベルギヤ部材５１を介してベベルギヤ片２５が従動して回動し、回動ルーバー２の各可動フィン２３は、その支軸２４、２７を軸に回動する。
【００４２】
ベベルギヤ機構５は、図８，１１に示すように、駆動側のベベルギヤ部材５１と従動側のベベルギヤ片２５とが噛合して構成され、駆動側のベベルギヤ部材５１はその中央に軸部５２が突設され、軸部５２は操作部６の中央に連結される。軸部５２は、前円筒フレーム２１の格子部２１ａの中央に設けた操作部保持部２１ｂの挿入孔に挿通されて、回転可能に支持される。
【００４３】
また、ベベルギヤ機構５のベベルギヤ部材５１の後部（背面側）には、図８，１１に示すように、中央軸支部３の中央軸３１が、回動可能に挿通される。さらに、ベベルギヤ部材５１の前部の軸部５２が、操作部６の軸部６１の軸穴内に嵌入され、軸部５２の係止爪が軸部６１の係止部に係止される。これにより、駆動側のベベルギヤ部材５１は中央軸支部３の中央軸３１に回動可能に支持されるとともに、操作部６の軸部６１と連結される。
【００４４】
上記のように、回動ルーバー２の可動フィン２３は、図８に示す如く、５枚のフィンから構成され、各可動フィン２３の内側部分には、駆動側のベベルギヤ部材５１と噛合する従動側のベベルギヤ片２５が一体成形され、その内側軸中心位置に、支軸２７が突設される。各可動フィン２３は、その内側に設けた内側の支軸２７を、中央軸支部３の軸穴４２に挿入して支持され、ベベルギヤ片２５はその前部に位置するベベルギヤ部材５１と噛合する。
【００４５】
各可動フィン２３の回動範囲は約９０°に設定されるため、ベベルギヤ片２５は円環ホイール状に形成する必要はなく、約１８０°の角度範囲つまり略半円形の歯部として形成される。また、円筒フレーム２０を含む回動ルーバー２は、その中央の操作部６を持って、上下左右に傾動操作すると、ボールジョイント８のボール８１を中心に、中央の軸部５２が傾動する。
【００４６】
回動ルーバー２は、５枚の可動フィン２３のフィン本体２６（図８）を、図１１に示すように各々、流路１５の通風方向と平行にした状態で、レジスタは開放状態となる。流路１５を閉鎖する場合、操作部６を回動操作すると、各可動フィン２３がその支軸２４、２７の回りで所定角度まで回動し、図１２に示す如くその回動端で可動フィン２３のフィン本体２６が円筒フレーム２０の横断面と略平行状態となって、流路１５を閉鎖する。
【００４７】
このため、５枚の可動フィン２３のフィン本体２６は、流路１５の通風方向と直角な横断面に並置状態となったとき、全閉可能な形状及び大きさに形成されている。また、回動ルーバー２の５枚の可動フィン２３は、開放状態と閉鎖状態間で、各可動フィン２３をその支軸２４、２７を軸に、任意の中間角度位置に回動させることができるが、可動フィン２３が任意の中間角度位置にあるとき、５枚の可動フィン２３によって、送風を細かく拡散し、よりマイルドな風を送風できるようになっている。
【００４８】
上記回動ルーバー２を組み立てる場合、図８に示す如く、操作部６を前円筒フレーム２１の前部の操作部保持部２１ｂ内に挿入しながら、その軸部６１を挿入孔に挿入し、前円筒フレーム２１の後部側からベベルギヤ部材５１の軸部５２を、操作部６の軸部６１内に差し込み、その係止爪を係止部に係止させる。これにより、操作部６及びベベルギヤ部材５１は前円筒フレーム２１の中央軸線位置に、確実に回動可能に組み付けられる。
【００４９】
次に、中央軸支部３の外周部の軸支線位置に、５枚の可動フィン２３を放射状に保持させるように、内側の支軸２７を軸穴４２に挿入し、中央軸支部３の中央軸３１をベベルギヤ部材５１に嵌入する。その状態で、５枚の可動フィン２３の外側の支軸２４を、前円筒フレーム２１と後円筒フレーム２２間の軸受部で挟み込み軸支するようにして、前円筒フレーム２１と後円筒フレーム２２を嵌合させ、その係止爪２２ａと被係止部１０を係止させる。
【００５０】
この状態で、回動ルーバー２は、円筒フレーム２０に５枚の可動フィン２３を組み付けた状態となり、各可動フィン２３の元部に設けたベベルギヤ片２５は中央のベベルギヤ部材５１と噛合した状態となる。ボールジョイント８は、そのボール８１を中央軸支部３の中央軸３１の球状の軸穴に嵌入して、中央軸支部３の後部に取り付けられる。この状態で、回動ルーバー２の中央の操作部６を回動操作すると、ベベルギヤ部材５１が中央軸支部３に対し回動し、その回動力がベベルギヤ片２５を介して５枚の可動フィン２３に伝達されて可動フィン２３が支軸２４，２７を軸に回動し、円筒フレーム２０内の流路が開閉される。
【００５１】
円筒フレーム２０を含む回動ルーバー２をリテーナ１内に装着する場合、後円筒フレーム２２の外周のストッパ２２ｂを、リテーナ１内のガイド溝１ａに挿入し、中央軸支部３の後部にボール８１を嵌合させた状態のボールジョイント８の軸部８２が後方に突出した状態で、ボールジョイント８の軸部８２を、リテーナ１内の支持部１１の支持孔１１ａ内に、摺動可能に差し込む。そして、支持部１１の後部から突出した軸部８２の端部に、コイルばね８４が外嵌され、取付ねじ８５を軸部８２の後端部にねじ込み、コイルばね８４を支持部１１の端部との間で挟むように保持する。そして、ベゼル９を回動ルーバー２の前部を覆うように、リテーナ１の前部に嵌め込み、係止部１３を係止爪９ａに係止させ、レジスタの組立てが完了する。
【００５２】
上記構成のレジスタは、例えば自動車のインストルメントパネルに設けられた空調装置の空気吹出口等に装着して使用される。レジスタの送風方向を変え、風量を絞り、風を拡散させ、或いは空気吹出口を閉鎖する場合、操作部６を持って回動ルーバー２を傾動操作し或いは回動操作する。操作部６はダイヤル状に形成され且つ空気吹出口９ｂより少し前方に突出して配設されるため、使用者は容易に操作部６を持って傾動操作或いは回動操作が可能である。
【００５３】
図１１に示すように、回動ルーバー２がレジスタの正面前方に真直ぐな状態にあるとき、つまり、回動ルーバー２の可動フィン２３が流路１５の軸方向に沿った中心線Ｓ２と平行な状態にあるとき、空気流は回動ルーバー２の可動フィン２３にガイドされて前方に真直ぐ送風され、このとき、前方の比較的狭い範囲に集中して送風が行なわれる。
【００５４】
風向を斜め上方に向ける場合、操作部６を持って持ち上げるように操作すると、操作部６を含む回動ルーバー２がボールジョイント８のボール８１を中心に上側に回動（傾動）し、リテーナ１の中心線Ｓ１に対し回動ルーバー２の中心線Ｓ２が上側に傾斜し、これにより、送風方向は斜め上方に向けられる。
【００５５】
同様に、風向を斜め下上方に向ける場合、操作部６を持って下げるように操作すると、操作部６を含む回動ルーバー２がボールジョイント８のボール８１を中心に下側に回動（傾動）し、リテーナ１の中心線Ｓ１に対し回動ルーバー２の中心線Ｓ２が下側に傾斜し、送風方向は斜め下方に向けられる。
【００５６】
また、風向を斜め左或いは斜め右に向ける場合、操作部６を持って回動ルーバー２を右または左に傾動させると、操作部６を含む回動ルーバー２がボールジョイント８のボール８１を中心に左側または右側に回動（傾動）し、リテーナ１の中心線Ｓ１に対し回動ルーバー２の中心線Ｓ２が左または右に傾斜し、送風方向は斜め左または右に向けられる。
【００５７】
このとき、回動ルーバー２の後円筒フレーム２２のストッパ２２ｂは、リテーナ１内のガイド溝１ａ内に位置するが、回動ルーバー２はボール８１の中心点とストッパ２２ｂの中心点を結ぶ線を軸に左右に傾動可能であり、また、ガイド溝１ａ内のストッパ２２ｂの周囲にはある程度の空間があるため、回動ルーバー２は左右に円滑に傾動することができる。このように、操作部６を上下或いは左右等と任意の方向に傾動操作することにより、回動ルーバー２の向きを変え、風向を任意の方向に向けることができる。
【００５８】
空気吹出口の前方の周囲における比較的広い範囲に、拡散して送風する場合、操作部６を持って中心線Ｓ２を軸に捻るように右または左に回す。
【００５９】
このとき、操作部６の回動力はベベルギヤ機構５の軸部５２を介してベベルギヤ部材５１に伝達され、ベベルギヤ部材５１が回転し、その回転がベベルギヤ部材５１と噛合する５枚の可動フィン２３のベベルギヤ片２５に伝達され、５枚の可動フィン２３はその支軸２４、２７を軸に回動し、各可動フィン２３のフィン本体２６が流路１５の横断面に沿ったラジアル方向の軸の回りで、前後に傾くように回動する。
【００６０】
これにより、空気流は、回動ルーバー２を通過する際、回動ルーバー２の中心線Ｓ２の回りで旋回するように周囲に広って送風され、空気吹出口９ｂの周囲に拡散するように送風される。またこのとき、送風は空気吹出口９ｂの内側に配置された５枚の可動フィン２３により、周囲にガイドされて拡散されるので、従来の４枚の可動フィンの場合に比べ、よりマイルドな風を送風することができる。
【００６１】
一方、送風を遮断する場合には、操作部６をさらに右または左に回動端まで回す。これにより、回動ルーバー２の各可動フィン２３は、支軸２４、２７を軸に、中心線Ｓ１，Ｓ２と垂直な垂直面と平行な状態（流路１５の遮断状態）まで回動し、これによって、流路１５は全閉状態となり、送風は遮断される。
【００６２】
このとき、流路１５内の空気圧が上昇し、空気流が可動フィン２３を押すため、中央軸支部３、ボールジョイント８、円筒フレーム２０を含む回動ルーバー２全体が、図１２に示すように、リテーナ１及びベゼル９に対し前方に移動し、コイルばね８４は圧縮され、円筒フレーム２０の外周面２０ａが、ベゼル９の内周面９ｃに当接し、円筒フレーム２０の外周部におけるリテーナ１またはベゼル９との隙間が完全に閉じられる。
【００６３】
このように、操作部６を回動操作して、回動ルーバー２の可動フィン２３が流路１５を閉鎖すると、流路１５内の空気圧が上昇し、回動ルーバー２の可動フィン２３が下流側に押され、回動ルーバー２を含む円筒フレーム２０が下流側に移動する。このとき、円筒フレーム２０の外周面２０ａがリテーナ１またはベゼル９の内周面９ｃに接触して外周部の隙間が閉じられるので、可動フィン２３の閉鎖時の、円筒フレーム２０の外周部からの風漏れは防止される。なお、このとき、円筒フレーム２０の外周部がリテーナ１またはベゼル９に完全に接触せずに接近するのみであっても、隙間からの風漏れは実質的に抑制することができる。
【００６４】
この後、操作部６を回動操作して、回動ルーバー２の可動フィン２３が流路１５を開放すると、流路１５内に空気流が流れ、空気圧が大気圧に戻るため、回動ルーバー２の可動フィン２３がコイルばね８４の付勢力により上流側に付勢され、回動ルーバー２を含む円筒フレーム２０が上流側に戻る。これにより、図１１に示すように、円筒フレーム２０の外周面２０ａとリテーナ１またはベゼル９の内周面９ｃとの間に僅かな隙間が生じた状態となるが、レジスタの空気吹出口９ｂから送風が行われているため、隙間からの風は問題とはならず、この隙間により、回動ルーバー２の傾動操作は、良好なフィーリングで円滑に行なうことができる。
【００６５】
なお、上記実施形態の回動ルーバー２には、５枚の可動フィン２３を設けたが、例えば、可動フィンの数を３枚或いは６枚とすることもできる。また、上記操作部６は円環状としたが、別の多角形などの形状にすることもできる。また、上記小凹凸部２２ｃの形状は、三角形状で鋸歯状としたが、方形或いは矩形とすることもできる。また、円筒フレーム２０は、前円筒フレーム２１と後円筒フレーム２２から形成したが、一体に形成することもできる。
【符号の説明】
【００６６】
１      リテーナ
１ａ    ガイド溝
２      回動ルーバー
３      中央軸支部
５      ベベルギヤ機構
６      操作部
８      ボールジョイント
９      ベゼル
９ａ    係止爪
９ｂ    空気吹出口
９ｃ    内周面
１０    被係止部
１１    支持部
１１ａ  支持孔
１２    支持枠
１３    係止部
１５    流路
２０    円筒フレーム
２０ａ  外周面
２１    前円筒フレーム
２１ａ  格子部
２１ｂ  操作部保持部
２１ｃ  挿入孔
２２    後円筒フレーム
２２ａ  係止爪
２２ｂ  ストッパ
２２ｃ  小凹凸部
２３    可動フィン
２４    支軸
２５    ベベルギヤ片
２６    フィン本体
２７    支軸
３１    中央軸
４２    軸穴
５１    ベベルギヤ部材
５２    軸部
６１    軸部
８１    ボール
８２    軸部
８３    段差部
【図１】
2016168929.tif 000003
【図２】
2016168929.tif 000004
【図３】
2016168929.tif 000005
【図４】
2016168929.tif 000006
【図５】
2016168929.tif 000007
【図６】
2016168929.tif 000008
【図７】
2016168929.tif 000009
【図８】
2016168929.tif 000010
【図９】
2016168929.tif 000011
【図１０】
2016168929.tif 000012
【図１１】
2016168929.tif 000013
【図１２】
2016168929.tif 000014